(57)【要約】【課題】機械室から排気された空気を上方に排気できる冷蔵庫を提供する。【解決手段】機械室２２の開口部５６を覆う機械室カバー７０と、機械室２２の上方で、かつ、キャビネット１２の背面に設けられた電装品６８と、電装品６８を覆うために背面に取り付けられた電装品カバー７２とを有し、機械室カバー７０には、電装品カバー７２より凹んだ凹部８０を有し、凹部８０には複数の排気孔８６が開口し、凹部８０の上部の一部は、電装品カバー７２の側方に位置する背面に臨んでいる。【選択図】      図４
2012078046.tif 000002
【特許請求の範囲】
【請求項１】
冷蔵庫の本体と、
前記本体下部に設けられ、背面側に開口部を有する機械室と、
前記機械室内部に設けられた放熱用のファンと、
前記機械室の前記開口部を覆う機械室カバーと、
前記機械室の上方で、かつ、前記本体の背面に設けられた電装品と、
前記電装品を覆うために、前記背面に取り付けられた電装品カバーと、
を有し、
前記機械室カバーには、前記電装品カバーより前面側に凹んだ凹部を有し、
前記凹部には、複数の排気孔が開口し、
前記凹部の上部の少なくとも一部は、前記電装品カバーの側方に位置する前記背面に臨んでいる、
ことを特徴とする冷蔵庫。
【請求項２】
前記機械室内部には、コンプレッサが、前記ファンと左右方向に並列になるように配置され、
前記凹部は、前記コンプレッサに対応する位置に複数の排気孔が開口した拡大部と、
前記拡大部の上部から前記ファンに対応する位置に延びている延出部と、
を有することを特徴とする請求項１に記載の冷蔵庫。
【請求項３】
前記電装品カバーの側方に位置する背面は、前記機械室カバーと別体、又は、一体の第２の機械室カバーによって覆われ、
前記第２の機械室カバーには、前記ファンから上方に向かう空気を排気する第２の排気孔が開口している、
ことを特徴とする請求項１又は２に記載の冷蔵庫。
【請求項４】
前記機械室には、前記ファンの前方にコンデンサが配され、
前記ファンは、前記コンデンサからの空気を前記機械室カバーに当て、前記空気を前記コンプレッサ、又は、前記ファンの上方に流す、
ことを特徴とする請求項１乃至３のいずれか一項に記載の冷蔵庫。
【請求項５】
前記機械室の底面に吸気孔が開口している、
ことを特徴とする請求項１乃至４のいずれか一項に記載の冷蔵庫。
【請求項６】
前記電装品カバーには、前記冷蔵庫の設置時に壁との隙間を確保するための突起が後方に向かって突出している、
ことを特徴とする請求項１乃至５のいずれか一項に記載の冷蔵庫。
【発明の詳細な説明】
【技術分野】
【０００１】
本発明の実施形態は、冷蔵庫に関するものである。
【背景技術】
【０００２】
従来より、冷蔵庫のキャビネット下部には機械室が設けられ、コンプレッサや放熱用のファンが配置されている。この機械室は、背面側が開口し、この開口部には機械室カバーが被せられている。機械室カバーには、排気孔が複数開口し、機械室から暖められた空気が排気される。
【先行技術文献】
【特許文献】
【０００３】
【特許文献１】特開２００９−７４７３２号公報
【発明の概要】
【発明が解決しようとする課題】
【０００４】
しかし、上記冷蔵庫においては、機械室から排気された暖められた空気は逃げ道が限られ、下方に流れて拡散しないという問題点があった。また、機械室への空気の吸気孔が底面に開口している場合には、この暖められた空気が床を熱して、冷たい空気が吸気孔から機械室に流入しないという問題点もあった。
【０００５】
そこで、本発明は上記問題点に鑑み、機械室から排気された空気を上方に排気できる冷蔵庫を提供する。
【課題を解決するための手段】
【０００６】
本発明の実施形態は、冷蔵庫の本体と、前記本体下部に設けられ、背面側に開口部を有する機械室と、前記機械室内部に設けられた放熱用のファンと、前記機械室の前記開口部を覆う機械室カバーと、前記機械室の上方で、かつ、前記本体の背面に設けられた電装品と、前記電装品を覆うために、前記背面に取り付けられた電装品カバーと、を有し、前記機械室カバーには、前記電装品カバーより前面側に凹んだ凹部を有し、前記凹部には、複数の排気孔が開口し、前記凹部の上部の少なくとも一部は、前記電装品カバーの側方に位置する前記背面に臨んでいる、ことを特徴とする冷蔵庫ある。
【図面の簡単な説明】
【０００７】
【図１】本発明の一実施例を示す冷蔵庫の縦断面図である。
【図２】冷蔵庫の冷凍サイクルである。
【図３】機械室カバーを取り除いた状態の機械室の背面から見た斜視図である。
【図４】機械室に機械室カバーを被せた状態の背面から見た斜視図である。
【図５】機械室に機械室カバーを被せた状態の下から見た斜視図である。
【図６】機械室の縦断面図である。
【図７】機械室カバーと電装品カバーの縦断面図である。
【図８】第２の機械室カバーと電装品カバーの横断面図である。
【発明を実施するための形態】
【０００８】
以下、本発明の一実施例の冷蔵庫１０について、図１〜図８に基づいて説明する。
【０００９】
（１）冷蔵庫１０の構造
まず、本実施例の冷蔵庫１０の構造について、図１に基づいて説明する。図１は冷蔵庫１０の縦断面図である。
【００１０】
冷蔵庫１０の本体であるキャビネット１２は外箱と内箱とより構成され、その間に断熱材が収納されている。キャビネット１２には、上段より冷蔵室１４、野菜室１６、製氷室１８、冷凍室２０が配され、製氷室１８の横には不図示の庫内温度が調整できる切替室が配されている。冷蔵室１４と野菜室１６より構成される冷蔵空間と、製氷室１８、切替室、冷凍室２０より構成され冷凍空間の間には、水平方向に断熱仕切壁が設けられている。
【００１１】
キャビネット１２の底面の後部、すなわち、冷凍室２０の後方には、コンプレッサ３６が載置された機械室２２が配されている。この機械室２２については、後から詳しく説明する。
【００１２】
冷蔵室１４と野菜室１６からなる冷蔵空間を冷却するための冷蔵用エバポレータ（以下、「Ｒエバ」という）２６が野菜室１６の背面に設けられ、このＲエバ２６の上方にはＲエバ２６から冷気を冷蔵空間に送風する冷蔵用ファン２８が設けられている。
【００１３】
製氷室１８、切替室、冷凍室２０からなる冷凍空間を冷却するための冷凍用エバポレータ（以下、「Ｆエバ」という）３０が冷凍室２０の上部背面に設けられ、このＦエバ３０の上方にはＦエバ３０から冷気を冷凍空間に送風するための冷凍用ファン３２が設けられている。
【００１４】
（２）冷凍サイクルの構成
次に、本実施例の冷蔵庫１０の冷凍サイクル３４の構成について図２に基づいて説明する。
【００１５】
コンプレッサ３６には、コンデンサ３８が接続され、コンデンサ３８には、三方弁４０が接続されている。三方弁４０の第１の出口には、冷蔵用メインキャピラリチューブ４２とＲエバ２６が接続され、三方弁４０の第２の出口には、冷凍用メインキャピラリチューブ４４とＦエバ３０と逆止弁４６とが接続され、サクションパイプ４８を経てコンプレッサ３６に循環している。
【００１６】
（３）機械室２２の構造
機械室２２は、図６に示すように、天井面５０、水平な底面であるコンプ台５２、冷凍室２０の背面と機械室２２とを仕切るための上部ほど後方に傾斜した前壁５４、両側壁から構成され、背面側には開口部５６が形成されている。
【００１７】
図３に示すように、機械室２２の背面から見たコンプ台５２の左側には、コンプレッサ３６が載置されている。機械室２２の背面から見たコンプ台５２の右側には、ファンユニット５８が取り付けられ、このファンユニット５８には、コンプレッサ３６を冷却するための放熱用のファン（以下、「Ｃファン」という）６０が取り付けられている。このファンユニット５８の前方には、図６に示すようにコンデンサ３８が収納されている。ファンユニット５８の後方にあるコンプ台５２には、除霜水を蒸発させるための蒸発皿６２が載置されている。
【００１８】
コンデンサ３８は、図６に示すように、フィンチューブコンデンサであって、冷媒が流れるパイプ３８ａを複数回折曲し、複数枚の板状の放熱用のフィン３８ｂが互いに平行にパイプ３８ａに取り付けられ、その全体形状が直方体となっている。コンデンサ３８は、筒状のダクト６４に収納されている。このダクト６４の下面は開口し、コンプ台５２の下面に開口した吸気孔６６に連通している（図５、図６参照）。一方、ダクト６４の上部後方側は開口し、吸気孔６６から吸気された空気は、コンデンサ３８を通過し、ダクト６４の上方から後方に流れる。
【００１９】
この機械室２２の上方に位置するキャビネット１２の背面には、図３に示すように、冷蔵庫１０の制御基板などが配置された電装品６８が取り付けられている。
【００２０】
（４）機械室カバー７０の構造
次に、機械室２２の開口部５６を覆う機械室カバー７０、電装品６８を覆う電装品カバー７２、第２の機械室カバー８８について図４〜図８に基づいて説明する。
【００２１】
機械室カバー７０は、機械室２２の開口部５６の全面を覆うように金属板より形成され、図４に示すように、開口部５６の全体に対応するカバー本体７４と、カバー本体７４の左側部から延出され、斜めに傾斜した左側面７６と、カバー本体７４の右側部から斜めに傾斜した右側面７８とを有する。左側面７６には、縦方向に複数個の側部排気孔７７が開口している。
【００２２】
カバー本体７４の背面から見た左側には凹部８０が形成されている。この凹部８０は、キャビネット１２の前方側に凹み、電装品カバー７２の背面部よりも凹んでいる（図７参照）。この凹部８０は、コンプレッサ３６に対応する位置まで広がった拡大部８２と、凹部８０の上部から背面から見て右側、すなわち、Ｃファン６０に対応する位置まで延びた延出部８４とより構成されている。凹部８０の拡大部８２、延出部８４にはそれぞれ複数の排気孔８６が開口している。
【００２３】
電装品カバー７２は、電装品６８を覆うものであり、キャビネット１２の背面から後方側に膨出している（図７、図８参照）。電装品カバー７２の上部には、３個の突起９２が突出している。なお、図４に示すように、機械室カバー７０の凹部８０の上部の一部、すなわち、延出部８４の一部は、電装品カバー７２の右側方に位置し、電装品カバー７２よりも凹んだ背面に臨んでいる。
【００２４】
電装品６８が取り付けられている背面の右側、すなわち、機械室２２の右側上部の背面が、機械室カバー７０と別体である第２の機械室カバー８８によって覆われている。図８に示すように、第２の機械室カバー８８は、背面との間に隙間を有し、また、第２の排気孔９０が複数個開口している。
【００２５】
機械室カバー７０、電装品カバー７２、第２の機械室カバー８８は、ネジによってキャビネット１２の背面に固定する。
【００２６】
冷蔵庫１０をキッチンに設置する場合には、図７に示すように、キッチンの壁に沿わせて配置する。この場合に電装品カバー７６から突出した突起９２が壁に当たるようにすることによって、機械室カバー７０、電装品カバー７２、第２の機械室カバー８８との間に一定の隙間が形成できる。
【００２７】
（５）機械室２２の空気の流れ
次に、機械室２２の空気の流れについて説明する。
【００２８】
Ｃファン６０が回転すると、コンデンサ３８の下方に開口している吸気孔６６から空気が吸い込まれ（図５参照）、ダクト６４を通って、コンデンサ３８を冷却した後、Ｃファン６０の位置に至る（図６参照）。Ｃファン６０から送風された空気は、機械室カバー７０の裏面に当たって二股に分かれ、コンプレッサ３６側（図３の矢印Ａで示す流れ）と上方（図３の矢印Ｂで示す流れ）に流れる。
【００２９】
コンプレッサ３６側に流れた空気は（図３の矢印Ａで示す流れ）、蒸発皿６２の上方を通って除霜水の蒸発を促進させると共に、コンプレッサ３６を冷却して、側部排気孔７７と、排気孔８６から暖められて排気される。側部排気孔７７から排気された暖められた空気は、左側面７６と、キッチン等の壁との間の空間を通って上方に排気される。図４に示すように、排気孔８６から排気された暖められた空気は、凹部８０の拡大部８２と延出部８４を通過し、電装品カバー７２の側方に流れる。すなわち、排気孔８６から排気された空気は上方に流れる。
【００３０】
機械室カバー７０の裏面に当たって上方に流れた空気は（図３の矢印Ｂで示す流れ）、図８に示すように、第２の機械室カバー８８の第２の排気孔９０から排気される。この場合に、この排気された空気は、凹部８０からの空気の流れを誘引すると共に、比較的温度が低い第２の排気孔から排気された空気により凹部８０からの空気が冷却されて、キャビネット１２の上方に流れる。そして、これら合流した空気は、上方に拡散されると共に、キャビネット１２の上方に抜けていく。
【００３１】
この場合に、電装品カバー７２から突起９２が突出して、図７に示すように、台所の壁などに対して一定の隙間を形成しているため、上記の空気の流れを確実に行わことができる。
【００３２】
（６）効果
上記構成の冷蔵庫であると、側部排気孔７７から排気された空気は上方に流れ、機械室カバー７０の凹部８０から排気された空気は、電装品カバー７２の側方に臨んだ位置から上方に流れる。またこのときに、第２の排気孔９０から排気された空気によってその流れが誘引されると共に、比較的温度が低い第２の排気孔からの空気により凹部８０からの暖められた空気が冷却されて、上方に排出できる。そのため、冷蔵庫１０を設置した床には暖められた空気が流れず、床を熱することがないので、機械室２２の底面に開口した吸気孔６６から、暖められた空気が吸い込まれることなく、省エネルギーに寄与できる。また、突起９２があるため、壁との間に隙間が確保できて、より上方に空気が拡散し易い。
【００３３】
（７）変更例
上記実施例では、第２の機械室カバー８８は機械室カバー７０と別体であったが、機械室カバー７０と一体に形成してもよい。
【００３４】
上記実施例では、コンプレッサ３６を機械室２２内部に配したが、これに代えて、コンプレッサ３６をキャビネット１２の天井部付近に配置してもよい。
【００３５】
（８）他の実施形態
本発明の請求項１に係る冷蔵庫の実施形態であると、凹部の排気孔から排気された暖められた空気は、膨出した電装品カバーの側方に位置する部分から上方に流れて、床に暖められた空気が排気されない。
【００３６】
請求項２に係る冷蔵庫の実施形態であると、コンプレッサに対応する位置には凹部の拡大部があるため、この拡大部からより空気が排気され易い。また、この排気された空気は延出部を通じて上方に流れる。
【００３７】
請求項３に係る冷蔵庫の実施形態であると、第２の機械室カバーの第２の排気孔から排気された空気が、凹部から排気された空気の流れを誘引して上方に流れ易くすると共に、この第２の排気孔から排気された空気が、凹部からの空気を冷却する。
【００３８】
請求項４に係る冷蔵庫の実施形態であると、機械室カバーに空気を当てることにより、コンプレッサ又はファンの上方に空気を確実に送風できる。
【００３９】
請求項５に係る冷蔵庫の実施形態であると、暖かい空気が流れない底面から空気を吸引できる。
【００４０】
請求項６に係る冷蔵庫の実施形態であると、突起により壁との間に隙間を確保できるため、凹部から排気された空気を確実に上方に拡散できる。
【００４１】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１０・・・冷蔵庫、１２・・・キャビネット、２２・・・機械室、３６・・・コンプレッサ、３８・・・コンデンサ、５６・・・開口部、６０・・・Ｃファン、６６・・・吸気孔、６８・・・電装品、７０・・・機械室カバー、７２・・・電装品カバー、７４・・・カバー本体、８０・・・凹部、８２・・・拡大部、８４・・・延出部、８６・・・排気孔、８８・・・第２の機械室カバー、９０・・・第２の排気孔、９２・・・突起
【図１】
2012078046.tif 000003
【図２】
2012078046.tif 000004
【図３】
2012078046.tif 000005
【図４】
2012078046.tif 000006
【図５】
2012078046.tif 000007
【図６】
2012078046.tif 000008
【図７】
2012078046.tif 000009
【図８】
2012078046.tif 000010